(57)【要約】      （修正有）【課題】製造工程を低コストにし、ドリップ性を高め、フィルター自体がやぶれを防止し、脱着を容易にする。【解決手段】通水性濾過性を有するシート材料を帯状に構成して二つ折りにして、シート材料の合わせた右端部を封じ、四角形状の袋を連続して構成しながら袋内にコーヒー粉を充填して行く製袋方式のコーヒーバッグであり、シート材料が袋を構成した時の前面側と背面側に位置する様にシート材料の外壁面に防水加工をした厚紙等による支持体を取り付け、四角形型の袋部の二辺の接する角部を下方に向け、ミシン目を設けて二辺を開放する事で全体が逆円すい形の袋部６を構成できる様にし、袋の前面側と背面側に取り付けた支持体は袋の下端の角部と上端の角部を合わせて取り付けられ、この支持体により構成した係止片１４によりカップの口部を前後から逆円すい形の袋部６をカップ２２内に位置させ支える。【選択図】図４
2013236886.tif 000002
【特許請求の範囲】
【請求項１】
通水性濾過性を有するシート材料１を帯状に構成して、帯状方向に二つ折りにしたシート材料１の折り目辺５を左側に縦方向に位置した時、シート材料１の合わせた右端部１６どうしを一体に貼着し取り付け閉じて側端部３としてシート材料１を筒状に構成し、これを横方向に下端部４として背面側と前面側のシート材料１どうしを一体に貼着し閉じて中にコーヒー粉を充填しながら同じく上端部２側を閉じて分離線１７で切り離し四角形状の袋部６を構成している、この帯状のシート材料１には、あらかじめシート材料１が袋部６を構成した時の前面側と背面側に位置する対称の位置でシート材料１の外壁面に防水加工をした厚紙等による支持体１３と支持体１８を取り付けており又、図２に示す様に下端角部９を下にした時、下辺７と折り目辺５である下辺８を下方に位置し上端角部１０を上に位置して上辺１２側と上辺１１側の二辺を開放し全体が逆円すい形の袋部６を形成するため上端部２と側端部３側には袋部６の背面側と前面側のシート材料１にミシン目１９をそれぞれ設けて、この上辺１１と上辺１２の二辺の側を開き一体の開放口２３を構成して逆円すい形の袋部６としている支持体１３と支持体１８は中心軸２０と外周枠２１全体がシート材料１の外壁面に貼着されており左右対称の２個の係止片１４は各、折り曲げ線１５から図４に示す様に外側から開きシート材料１の外壁面から伸び出てカップ２２の口部をとらえ係止片１４の先端側がカップ２２の外側に位置させて使用すり以上からなることを特徴としたドリップバッグ。
【請求項２】
四角形状の袋部６を構成し、下端角部９を下にして下端部４と折り目辺５を下方に位置して、上端角部１０を上に位置し閉じた袋部６の側端部３と上端部２の二辺を開放して一体の開放口２３を構成するため側端部３と上端部２の二辺にミシン目１９を設けたことを特徴とした請求項１記載のドリップバッグ。
【請求項３】
袋部６の開放口２３を設けるためミシン目１９を下端角部９を支点に弧を描く様に端部２５から支持体１３の上を通り端部２６まで設けたミシン目２４であることを特徴とした請求項１記載のドリップバッグ。
【発明の詳細な説明】
【技術分野】  本発明はコーヒー等の抽出をするため飲用容器上に位置させ使用する使い捨てタイプでドリップ用の濾過袋に、それを保持する支持体を一体に取り付けた抽出具に関するものである。
【背景技術】
【０００１】  通水性濾過性を有するシート材料で濾過袋を構成しカップ等にセットしてコーヒー等を抽出する使い捨てドリッパーは、濾過袋をカップ上に保持するための支持体として防水加工をした厚紙等を濾過袋に取り付けて構成していたが（実開昭５７−１４５３２２）や（特開２００４−１３０１０４）及び（登録実案第３０４２２９２号）の様にカップの口部上に置きセットする方式は濾過袋の外側全体に支持体を構成するため製造工程が複雑になり又使用する支持体の面積も多く必要とするため高コストになっていた。【０００２】  これに比較して（実案登録２５０５９５９）や（特開２００２−２３８７６７）及び（特開２００４−２４７００）などの様に帯状のシート材料に、あらかじめ支持体を取り付けておき、これを２つ折りにして上下と側辺の三辺を封じて中にコーヒー粉を充填する製袋方式の製造方法の場合は製造工程が少なく低コストになるが、三辺を封じるため、この三辺を封じる端部のスペースを必要となり、このスペースをのこし支持体は濾過袋全体形の大きさの内側に位置したサイズの大きさでなければならず袋の外側に大きく伸び出て袋全体を支持体が支えてカップ上に濾過袋を高く保持するために必要な支持体の面積が少なくドリップ性を高める事は容易ではなくカップ内に袋部が半分位置して低い位置で保持する方式になりドリップが充分ではなかった。【０００３】  ドリップ性が高く低コストなタイプとしては（実開昭６０−２１２３２）及び（特開平１１−１１３７５２）の様に濾過袋とそれを保持する支持体が別構造であり濾過袋だけを使い捨てる方式が低コストでありドリップ性も高い利点があった。
【先行技術文献】
【特許文献】
【特許文献】（実開平６−２１５２６）（特開２００１−３１４３２４）（特開２００４−１３０１０４）（実開昭５７−１４５３２２）（登録実案第３０４２２９２号）（実案登録２５０５９５９）（特開２００２−２３８７６７）（特開２００４−２４７００）（実開昭６０−２１２３２）（特開平１１−１１３７５２）
【発明の概要】
【発明が解決しようとする課題】
【０００４】  濾過袋と、これをカップ上に保持する支持具とが別構造で脱着可能として濾過袋だけを使用する毎に取り換えるタイプ（実開平６−２１５２６）や（実開昭６０−２１２３２）及び（特開２００１−３１４３２４）は低コストである特徴があるが支持具に脱着する方式のため支持具を必要とし又、その準備やフィルターの脱着に手数を要する点などの使用上の課題があった。【０００５】  又、カップ上に直接支持具を置く方式で支持具とフィルターが分離しているタイプ（特開平１１−１１３７５２）ではカップの口部と直接支持具が接することや支持具の内側面と全体的に濾過袋が接するために使用の毎に支持具を洗い使用する手数を要した。【０００６】  カップ上に定置するタイプで（特開２００４−１３０１０４）（実案−第３０４２２９２号）（実案−昭５７−１４５３２２）はカップ上に袋部が位置するためドリップ性は高いが高コストな課題があった。【０００７】  これに比較して袋の全体形内に位置し袋形より小さい面積となる支持体を有した製袋方式のタイプではカップ上に袋部を高く保持できず袋の下方が半分カップ内に位置した状態であるためドリップ性が低い課題があった。
【課題と解決するための手段】
【０００８】  通水性濾過性を有するシート材料を帯状に構成して帯状方向に二つ折りにしたシート材料の折り目辺を左縦方向に位置した時、シート材料の合わせた右端部を封じ、その中にコーヒー粉を入れながら横方向にシート材料を上下で封じて四角形状の袋を連続して構成しながら袋内にコーヒー粉を充填して行く製袋方式のコーヒーバッグの製造方法としており、この帯状のシート材料には、あらかじめシート材料が袋を構成した時の前面側と背面側に位置する様にシート材料の外壁面に防水加工をした厚紙等による支持体を取り付けている。
【０００９】  この四辺を有した四角形型の袋部の二辺の接する角部を下方に向け相対する上方向側に位置した二辺をシート材料にミシン目等を設け二辺を開放する事でシート材料で構成した袋の上方口とすることで全体が逆円すい形の袋形を構成できる様にしている。
【００１０】  この時に袋の前面側と背面側に取り付けた支持体は袋の下端の角部と上端の角部を上下とする位置方向に合わせて取り付けられており、この支持体により構成した係止片によりカップの口部をとらえ前後からシート材料により構成した逆円すい形の袋部をカップ内に位置させ支えている。
【発明の効果】
【００１１】  帯状のシート材料にあらかじめ支持体を取り付けて、三辺を封じながら袋内にコーヒー粉を充填する製袋方式としているため（特開２００４−１３０１０４）（実案−第３０４２２９２）（実案−昭５７−１４５３２２）の様に支持体で全体を構成して支持体の内側に袋部を有しているカップ上に置く定置式のコーヒーバッグより全体の構成が単純な（特開２００２−２３８７６７）（特開２００４−２４７００）（実開−平７−２２３）に示す製袋方式のほうが製作工程数が少なく支持体の部材の使用量も少ないため低コストである。
【００１２】  製袋方式でもシート材料による袋形が従来は（実案−登録２５０５９５９）（特開２００４−２４７００）（特開２００２−２３８７６７）の様に四角形型を基本とした袋形でありカップ内のお湯に袋部の下部が半分浸る部分と袋の上部側とが同じ形状でドリップ性が低い課題があったが、本発明では袋部が逆円すい形であるためカップ内のお湯に浸る袋の下方部の袋の容量が小さい袋形であるため袋内にのこるお湯の量が少ない分ドリップ性が高まる。
【００１３】  シート材料で構成した袋部の前面側と背面側に取り付けてある支持体でカップ口部を取らえてセットする方式のため（特開平１１−１１３７５２）（実案−昭６０−２１２３２）（実開平６−２１５２６）（特開２００１−３１４３２４）の様に袋部をセットするためのスタンドやドリッパーを必要としないため手軽に使用できる。
【図面の簡単な説明】
【００１４】
【図１】帯状のシート材料を二つ折りにして三辺を一体にして封じている状態を示す斜視図
【図２】シート材料により袋形が形成された状態を示す正面図
【図３】シート材料により形成された袋部の上方側に設けた開放口を開いた状態を示す斜視図
【図４】シート材料により形成した袋をカップにセットした状態を示す斜視図
【図５】他の実施例を示す、袋の開放口形を水平な口部形状にするためにミシン目を曲線状にしたことを示す袋部の正面図
【図６】袋の開放口を開いた状態を示す図５の斜視図
【発明を実施するための形態】
【実施例１】
【００１５】  通水性濾過性を有するシート材料１を帯状に構成して、帯状方向に二つ折りにしたシート材料１の折り目辺５を左側に縦方向に位置した時、シート材料１の合わせた右端部１６どうしを一体に貼着し取り付け閉じて側端部３としてシート材料１を筒状に構成し、これを横方向に下端部４として背面側と前面側のシート材料１どうしを一体に貼着し閉じて中にコーヒー粉を充填しながら同じく上端部２側を閉じて分離線１７で切り離し、これを連続することで四角形状の袋部６を構成している。【００１６】  この帯状のシート材料１には、あらかじめシート材料１が袋部６を構成した時の前面側と背面側に位置する対称の位置でシート材料１の外壁面に防水加工をした厚紙等による支持体１３と支持体１８を取り付けており又、図２に示す様に下端角部９を下にした時、下辺７と折り目辺５である下辺８を下方に位置し上端角部１０を上に位置して上辺１２側と上辺１１側の二辺を開放し全体が逆円すい形の袋部６を形成するため上端部２と側端部３側には袋部６の背面側と前面側のシート材料１にミシン目１９をそれぞれ設けて、この上辺１１と上辺１２の二辺の側を開き一体の開放口２３を構成して逆円すい形の袋部６としている。【００１７】  支持体１３と支持体１８は中心軸２０と外周枠２１全体がシート材料１の外壁面に貼着されており左右対称の２個の係止片１４は各、折り曲げ線１５から図４に示す様に外側から開きシート材料１の外壁面から伸び出てカップ２２の口部をとらえ係止片１４の先端側がカップ２２の外側に位置してセット状態となる。
【実施例２】
【００１８】  図５に示す様にミシン目２４を下端角部９を支点に弧を描く様に端部２５から支持体１３の上を通り端部２６まで設けて上辺１１と上辺１２の二辺を開放する方式では、図６に示す様に開放口２３の形状が水平形になり又、図２に示すミシン目１９の場合に上辺１１と上辺１２を連続してミシン目から切り離す時に上端角部１０の部分で引っ張り角度が変わるため上端部２側と側端部３側とが分離しやすく、連動して切り離す作業ができない事を防ぐため図５に示すミシン目２４では上端角部１０の部分での巾を大きくなる形状であるため上端部２側と側端部３側とが分離せず切り離せる利点も生じて開放口２３の形状も水平になり使用性が高まる。
【符号の説明】
【００１９】１．シート材料
２．上端部
３．側端部
４．下端部
５．折り目
６．袋部
７．下辺
８．下辺
９．下端角部
１０．上端角部
１１．上辺
１２．上辺
１３．支持体
１４．係止片
１５．折り曲げ線
１６．右端部
１７．分離線
１８．支持体
１９．ミシン目
２０．中心軸
２１．外周枠
２２．カップ
２３．開放口
２４．ミシン目
２５．端部
２６．端部
【図１】
2013236886.tif 000003
【図２】
2013236886.tif 000004
【図３】
2013236886.tif 000005
【図４】
2013236886.tif 000006
【図５】
2013236886.tif 000007
【図６】
2013236886.tif 000008